(57)【特許請求の範囲】
【請求項１】
建築物に用いる換気用空気を冷却する装置であって、
前記建築物の上で使用される放熱パネルであって、前記放熱パネルは、夜空に向けられる放射表面を有し、前記放熱パネルは、前記放熱パネルから冷えた夜空への放射熱損失により冷却され、前記放熱パネルの近くの外気は、冷えた夜空への放射熱損失により熱を放射する前記放熱パネルに、熱を伝達することによって冷却され、前記放熱パネルは、空気収集空間の境界を定め、前記放熱パネルは、前記放熱パネルによって冷却された外気のための複数の空気開口部を有し、前記空気開口部は、前記放熱パネルの表面全体にわたって分散して配置され、前記放熱パネルによって冷却された外気は、前記空気開口部を通して前記空気収集空間に入る、放熱パネルと、
前記空気収集空間と前記建築物の内部との間に配置され、冷却された外気が前記空気収集空間から前記建築物の前記内部に通過するように配置される通路と、
前記冷却された外気を、前記空気収集空間から前記空気収集空間の下部へ、さらに前記通路を通して前記建築物の前記内部に移動させるように配置されるファンと、を備える、ことを特徴とする装置。
【請求項２】
前記建築物の屋根からの熱取得を抑制するために、前記放熱パネルは、前記放射表面の反対側に、吸収率の低い裏面を備える、ことを特徴とする請求項１に記載の装置。
【請求項３】
前記放熱パネルの裏面の放射率は、前記放射表面の放射率よりも低い、ことを特徴とする請求項１に記載の装置。
【請求項４】
前記放熱パネルは、波形パネルを備える、ことを特徴とする請求項１に記載の装置。
【請求項５】
前記放熱パネルは、前記建築物の屋根を覆うように配置されることによって、前記屋根に日陰を提供し、前記空気収集空間は、前記放熱パネルと前記屋根との間に配置される、ことを特徴とする請求項１に記載の装置。
【請求項６】
前記放熱パネルは、中間にある略水平のバーによって、前記建築物に固定される、ことを特徴とする請求項１に記載の装置。
【請求項７】
前記略水平のバーは、略水平のＺ形材を備える、ことを特徴とする請求項６に記載の装置。
【請求項８】
前記Ｚ形材は、クリップに固定され、前記クリップは、前記建築物に固定される、ことを特徴とする請求項７に記載の装置。
【請求項９】
前記ファンは、前記冷却された換気用空気を更に冷却する冷房装置を備える、ことを特徴とする請求項１に記載の装置。
【請求項１０】
前記冷房装置は、前記冷却された外気から水分を除去する除湿装置を備える、ことを特徴とする請求項９に記載の装置。
【請求項１１】
前記空気収集空間と前記建築物の内部との間に配置され、日中に加熱された外気を前記空気収集空間から前記建築物の前記内部に通過させるように配置される、第２通路を更に備える、ことを特徴とする請求項１に記載の装置。
【請求項１２】
前記加熱された外気を前記空気収集空間から前記第２通路を通して前記建築物の前記内部に移動させるように配置される、第２ファンを更に備える、ことを特徴とする請求項１１に記載の装置。
【請求項１３】
前記通路は、傾斜する屋根の下部に配置される、ことを特徴とする請求項１に記載の装置。
【請求項１４】
日中に加熱された外気を前記空気収集空間から前記建築物の前記内部に通過させるために、前記空気収集空間と前記建築物の内部との間に配置される第２通路を更に備え、前記第２通路は、前記傾斜する屋根の上部に配置される、ことを特徴とする請求項１３に記載の装置。
【請求項１５】
前記空気開口部は、部分的に重なり合って隣接する放熱パネルの少なくとも１つの間に、スリット、穴および空隙の少なくとも１つを備える、ことを特徴とする請求項１に記載の装置。
【請求項１６】
前記放熱パネルは、発電する複数の太陽電池パネルを備える、ことを特徴とする請求項１に記載の装置。
【請求項１７】
建築物に用いる換気用空気を冷却する方法であって、
夜空に向けられる放射表面を有する放熱パネルであって、前記放熱パネルは、前記放熱パネルから冷えた夜空への放射熱損失により冷却され、前記放熱パネルの近くの外気は、冷えた夜空への放射熱損失により熱を放射する前記放熱パネルに、熱を伝達することによって冷却され、前記放熱パネルは、空気収集空間の境界を定め、前記放熱パネルは、前記放熱パネルによって冷却された外気のための複数の空気開口部を有し、前記空気開口部は、前記放熱パネルの表面全体にわたって分散して配置され、前記放熱パネルによって冷却された外気は、前記空気開口部を通して前記空気収集空間に入る放熱パネルを、前記建築物の表面上に提供する工程と、
前記空気開口部を通して前記空気収集空間の中に前記外気を吸い込む工程と、
冷却された換気用空気を提供するために、前記放熱パネルに熱を伝達し、かつ前記放熱パネルから空に熱を放射することで前記外気を冷却する工程と、
前記空気収集空間の下部から且つ吸気口を通して、前記冷却された換気用空気を吸い込み、前記冷却された換気用空気を前記建築物の中に移動する工程と、を含む、ことを特徴とする方法。
【請求項１８】
前記放熱パネルを提供する工程は、前記建築物の屋根からの熱取得を抑制するために、前記放射表面の反対側に吸収率の低い裏面を提供する工程を含む、ことを特徴とする請求項１７に記載の方法。
【請求項１９】
前記放熱パネルを提供する工程は、前記放射表面の放射率よりも低い放射率を有する裏面を有するパネルを提供する工程を含む、ことを特徴とする請求項１７に記載の方法。
【請求項２０】
前記放熱パネルを提供する工程は、中間にある略水平のバーによって前記放熱パネルを前記建築物に固定する工程を含む、ことを特徴とする請求項１７に記載の方法。
【請求項２１】
前記冷却された換気用空気を冷房装置内で更に冷却する工程を更に含む、ことを特徴とする請求項１７に記載の方法。
【請求項２２】
前記冷却された換気用空気を除湿する工程を更に含む、ことを特徴とする請求項１７に記載の方法。
【請求項２３】
暖房する季節において、日中に加熱された換気用空気を提供するために、前記放熱パネルからの太陽熱によって、前記外気を加熱する工程と、
暖房期間中に、第２吸気口を通して、前記加熱された換気用空気を吸い込み、前記加熱された換気用空気を前記建築物の中に移動する工程をさらに含む、ことを特徴とする請求項１７に記載の方法。
【請求項２４】
建築物に用いる換気用空気を冷却する装置であって、
前記建築物の上に設置可能な放熱パネルであって、前記放熱パネルは、夜空に向けられ且つ外気にさらされる放射表面を有し、前記放熱パネルが前記建築物に設置された状態において、前記放熱パネルは、前記放熱パネルから冷えた夜空への放射熱損失により冷却され、前記放熱パネルの近くの外気は、冷えた夜空への放射熱損失により熱を放射する前記放熱パネルに、熱を伝達することによって冷却され、前記放熱パネルは、空気収集空間の境界を定め、前記放熱パネルは、前記放熱パネルにより冷却された外気のための複数の空気開口部を有し、前記空気開口部は、前記放熱パネルの表面全体にわたって分散して配置され、前記放熱パネルにより冷却された外気は、前記空気開口部を通して前記空気収集空間に入る、放熱パネルと、
前記空気収集空間の下部は、前記建築物の内部と通じる通路に接続可能であり、前記通路は、冷却された外気を、前記空気収集空間から前記空気収集空間の下部へ、更に、前記通路を通って前記建築物の前記内部に移動させるファンに通じている、ことを特徴とする装置。
【請求項２５】
前記空気開口部は、前記放熱パネルに、スリット、穴および空隙の少なくとも１つを備える、ことを特徴とする請求項１に記載の装置。
【発明の詳細な説明】
【技術分野】
【０００１】
本発明は、建築物用の循環空気を供給することに関し、循環空気を建築物内に導入する前に冷却することに関する。
【背景技術】
【０００２】
商業用建築物、工業用建築物、家庭用建築物、およびアパート建築物は、換気を必要とする。
標準的な建築構造に見られるドアや壁天井接合部などの周囲の自然漏れの結果、充分な空気が建築物に入ることが一般的である。
建築物の外部から内部にかけての圧力降下は、強風、排気扇風機、および燃焼式燃焼室用の燃焼用空気などの多くの要因から生じ得る。
その結果、亀裂または開口部を通して外気が建築物に吸い込まれる傾向がある。
【０００３】
ドアおよび接合部の周辺を通して空気が単に流れるようにして換気を提供する従来の方法は、循環空気の量および温度が制御されないという欠点がある。
このように循環空気を制御できないことを補うために、一般的に、暖房を行う季節には追加の暖房を提供し、温暖な季節または高温気候においてはエアコンおよび扇風機によって追加の冷房を提供する。
【０００４】
１９９０年２月１３日に発行の米国特許第４，８９９，７２８号明細書、および１９９０年６月１９日に発行の米国特許第４，９３４，３３８号明細書は、建築物に導入される前に新鮮な補給（循環）空気を加熱する太陽電池パネルの使用方法を開示している。
これらのシステムは、太陽電池パネルの表面積あたり大容量の空気を加熱することに対しては効率的である。
【発明の開示】
【発明が解決しようとする課題】
【０００５】
しかしながら、これらの特許文献に記載されたシステムは、循環空気の加熱のみを取り扱うものであって、温暖な季節または高温気候に望まれる冷房は取り扱っていない。
【課題を解決するための手段】
【０００６】
実施形態の一態様によって、建築物用の循環空気を冷却する装置が提供される。この装置は、建築物の上で使用される放射表面を有する放熱パネルを備えるので、パネルの放射表面は、空に向けられて外気にさらされる。
放熱パネルは、それ自体と建築物との間に空気収集空間の境界を定め、複数の空気開口部を有するので、外気は開口部を通過して空気収集空間に入る。
通路は、空気収集空間と建築物の内部との間に延び、冷却された外気を空気収集空間から建築物の内部へと通過させるように配置される。
ファンは、冷却された外気を、空気収集空間から、通路を通して、建築物の内部まで移動させるように配置される。
【０００７】
実施形態の別の態様によると、建築物用の循環空気を冷却する方法が提供される。
この方法は、建築物の表面上に、放射表面を有する放熱パネルを提供する工程を含む。パネルの放射表面は、空に向けられて外気にさらされる。
パネルは、それ自体と建築物との間に空気収集空間の境界を定め、複数の空気開口部を含むので、外気は開口部を通過して空気収集空間に入る。
この方法は、空気開口部を通して空気収集空間の中に外気を吸い込む工程と、パネルに熱を伝達してパネルから空に放熱することによって外気を冷却して、冷却された循環空気を提供する工程と、冷却された循環空気を吸気口を通して吸い込み、冷却された循環空気を建築物の中に圧入する工程とを更に含む。
【０００８】
有利な点は、パネルと建築物との間の空気収集空間に吸い込まれる空気が、パネルへの熱伝達およびパネルから空への熱放射によって冷却されることである。
従って、建築物に提供される循環空気は、周囲温度と比較すると冷却されることになる。
一実施形態において、傾斜する屋根の上にパネルを支持するために、水平のＺ形材が用いられる。
パネルの裏側に形成される一部の結露は、Ｚ形材に向かって下方に流れ、次に建築物の屋根に落下し、水はそこから流出する。
有利な点は、パネルの裏側に残る水がより少ないことであり、冷却によって残る水がより少なく、空気を冷却できることである。
【０００９】
別の実施形態において、加熱通路は、加熱された外気を収集空間から建築物の内部に通過させるように配置される。
従って、暖房する月間には、太陽輻射によって加熱された外気が建築物の中に導かれ、冷房する月間には、冷却された空気が建築物の中に導かれる。
【発明を実施するための最良の形態】
【００１０】
本発明は、以下の図面および説明を参照することにより、より良好に理解される。
【００１１】
シュテファンボルツマンの放射の法則は、暖かい表面からより冷たい表面までの熱損失の計算を提供する。
晴れた夜空にさらされる建築物の屋根は、屋根から冷たい夜空への放射熱損失のために、周囲の大気温度降下を下回る温度降下を経験する。
晴れて乾燥した気候における冷却速度は、屋根の約７５Ｗ／ｍ2である。
冷却速度は、湿度が高くなり雲量が多くなるにしたがって、低下する。
夜の冷却効果は、熱損失が太陽光の熱取得を超過するときに開始するものであり、一般的に夕暮れ前から始まり、夜明け後まで持続する。
従って、夜空のもとで約１０〜１２時間にわたって冷却する可能性が、毎日存在する。
【００１２】
建築物用の循環空気を冷却する装置を説明するために、図１および図２を参照する。
この装置は符号１０によって示し、建築物は一般に符号５０によって示す。
装置１０は、建築物５０の上で使用される放射表面１６を有する放熱パネル１４を備える。パネル１４の放射表面１６は、空に向けられて外気にさらされる。
放熱パネル１４は、それ自体と建築物５０との間に空気収集空間１８の境界を定め、複数の吸気開口部２０を有するので、外気は、開口部２０を通過して空気収集空間１８に入る。
通路２２は、空気収集空間１８と建築物５０の内部との間に延び、冷却された外気を空気収集空間１８から建築物５０の内部へと通過させるように配置される。
ファン２４は、冷却された外気を、空気収集空間１８から、通路２２を通して、建築物５０の内部まで移動させるように配置される。
【００１３】
建築物５０用の循環空気を冷却する装置１０の一実施形態を、図１および図２を引き続き参照して、更に説明する。
装置１０を、建築物５０の屋根５２に固定して示す。
図示するように、放熱パネル１４（本明細書においてはパネル１４と呼ぶ）は、波形金属パネルであり、高い放射率を有する表面１６と、低い吸収率および放射率を有する対向表面１７とを有する。
従って、一方の表面は、他方の表面よりも高い放射率を有する。
パネル１４は、屋根５２の外側表面に固定される。パネル１４は、空に面する、放射性の高い表面１６と、建築物５０の屋根５２に面する、放射性のより低い表面１７（本明細書においては下方に面する表面１７とも呼ぶ）とを有する。
本実施形態の屋根５２は、屋根５２の中心付近の頂点から外縁部に向かって下方に角度がついており、波形パネル１４の部分は、屋根５２に対して略平行に延びている。
従って、パネル１４は、屋根５２の外縁部に近位の下部２６と、屋根５２の頂点に近位の上部２８とを含む。
本実施形態において、パネル１４は、屋根５０の大部分を覆うことによって、屋根５０に日陰を提供する。
【００１４】
パネル１４は、ハットクリップ３２に取り付けられる中間のＺ断面バー３０によって、屋根５２の外側表面に固定される。
図２を参照して、ハットクリップ３２は、適切な締結具を使用して屋根５２の外側表面に固定される。
クリップ３２は、横の列に配置され、クリップ間に空気が流れるように間隔を置かれる。
図２に、バー３０の各々のＺ断面を示す。
図示するように、これらのバー３０は、クリップ３２およびパネル１４に固定されるので、Ｚ断面バーの中心のウェブ部分は、パネル１４を屋根５２から更に間隔をあける。
従って、Ｚ断面バーの一方の縁部は、間隔を置いたクリップ３２に対して取り付けられるが、バーの他方の端部は、パネル１４に対して取り付けられる。
【００１５】
上記のように、パネル１４は、パネル１４の表面全体にわたって分散した吸気開口部２０を含む。
吸気開口部２０は、外気が外部から空気収集空間１８に入るための移動経路を提供する。
本実施形態において、吸気開口部２０は、パネル１４の表面にわたって略均等に分散するが、通路２２が空気収集空間１８と交わる直近の周囲の領域は除く。
吸気開口部は、パネル１４の回転穴あけスリットによって形成される。その結果、スリットの端部の空隙が、吸気開口部２０を提供する。
吸気開口部２０は、循環空気を冷却する装置に入る前の空気にフィルターをかけるのを補助するように、小さくなっている。
【００１６】
パネル１４の周辺部は、パネル１４を包囲する金属フレーム３３によって封鎖されている。
金属フレーム３３は、例えばシリコンコーキングを用いて、パネル１４の側面および最上部の周辺において、屋根５２に封止される。
金属フレームの底部は、雨または水分が屋根５２から流れ出るようにするために、封止されない。
【００１７】
通風ダクト３４は、空気収集空間１８と連通し、空気収集空間１８の下部（傾斜する屋根５２の下部）から延び、建築物５０の外壁を通過し、空気収集空間１８から建築物５０の内部に入る冷却された外気のための通路２２を提供する。
通風ダクト３４は、冷却された外気を、通風ダクト３４の開口部を通して建築物５０の内部に提供するように、建築物５０の中に延びる。
【００１８】
ファンハウジング３６は、通風ダクト３４に沿って接続されており、空気収集空間１８から建築物の内部に空気を移動させるためのファン２４を含む。
本実施形態において、ファンハウジング３６は、屋根５２（建築物５０の外部）の上に配置される。
ファンハウジング３６の電動式通風調節弁は、建築物の内部からの空気を、空気収集空間１８からの冷却された空気と混合させるように調節可能である。
ファン２４の寸法は、一般的に、必要換気量を満たし、かつ建築物内部のマイナス空気圧を抑制するように、決められる。
プラス空気圧は、冷却された空気を通風ダクト３４を通して建築物に導入することによって達成できる。
内部の空気は、開口部および亀裂を通して建築物から出る。
本実施形態において、ファン２４は、流入空気の温度に依存してコントローラによって制御される可変速度ファンである。
従って、流入空気が室温より高い場合、ファン２４は、低速度で動作する。
流入空気の温度が室温より低い場合、循環空気および冷却を提供するために、ファン速度が増加する。
【００１９】
循環空気を冷却する装置１０は、使用時において、建築物５０の屋根５２の上に配置される。
外気は、パネル１４の吸気開口部２０を通して空気収集空間１８に入り、空気はここで冷却される。
空気収集空間１８内の空気が冷却すると、空気収集空間１８内の暖かい空気は上昇し、空気収集空間１８内の冷たい空気は下降する。
従って、空気収集空間１８内の最も冷たい空気は、空気収集空間１８の下部に向かって自然に下降する。ここで、空気は、ファン２４によって空気収集空間１８から吸い込まれ、通風ダクト３４が提供する通路２２を通して建築物５０の中に吸い込まれることによって、冷却された循環空気が建築物５０に提供される。
【００２０】
空気収集空間１８内で空気の冷却が生じると、パネル１４の下方の対向表面上に生じる任意の水滴は、重力によって下方に引かれるので、パネル１４の傾斜を下方に移動する。
水の移動は、略水平に延びてパネル１４の下方の対向表面１７に固定されたＺ断面バー３０によって中断される。
水がＺ断面バーに接すると、水はパネル１４から落下し、建築物５０の屋根５２に落下し、そこから水は流出することができる。
従って、パネル１４の下方の対向表面１７の上で凝縮する水の一部は流出するので、冷却によって残る水が少なくなる。
更に、日中において、太陽は、空気収集空間の乾燥を補助する。
【００２１】
ここで図３を参照して、別の実施形態を説明する。
本実施形態は、第１実施形態と類似するので、繰り返し詳細には説明しない。
しかしながら、第１実施形態と異なる点は、冷房装置３８がエアコンディショナの形で提供され、ファン２４が冷房装置の内部に配置されることである。
空気収集空間１８から通風ダクト３４の中に吸い込まれる冷却された空気は、建築物の内部の空気と混合するように導入される前に、更なる冷却のための冷房装置を通過するので、更なる冷却が提供される。
冷房装置３８はまた、建築物に入る空気から水分の一部を除去するための除湿装置を含む。
除湿装置は、湿潤気候において有用である。
【００２２】
ここで図４を参照して、さらに別の実施形態を説明する。
やはり、本実施形態は、第１に説明した実施形態と類似した特徴を多く含むので、これらの特徴を更に説明する必要はない。
本実施形態において、パネル１４の放射表面１６は、熱吸光性表面を提供するように中間色ペイント（黒と白の間）でコーティングされる。
従って、パネル１４は、昼光時間において空気収集空間１８内の空気を加熱するように作用する。
【００２３】
第２通風ダクト４０は、空気収集空間１８と連通し、空気収集空間１８の上部（傾斜する屋根５２の上部）からファン２４まで延び、第２通路を提供する。この第２通路は、空気収集空間１８から建築物５０の内部に入る加熱された外気のためのものである。
第１通風ダクト３４および第２通風ダクト４０は、ファンおよび建築物５０内へと気流を向ける通風調節弁を含む。
従って、空気は、時刻、加熱または冷却の必要性に応じて、空気収集空間１８から選択的に吸い込まれる。
【００２４】
本実施形態の装置１０は、使用時において、冷房する（または夏季の）月間に、循環空気を冷却するために用いられる。
しかしながら、本実施形態の装置１０は、暖房する（または冬季の）月間に、循環空気を加熱するためにも用いられる。
空気収集空間１８内の空気は、パネル１４を通した伝導によって伝えられる太陽熱と、屋根５２を通して建築物５０の内部から逃げる熱との組み合わせによって加熱される。
上記のように、空気収集空間１８内の冷たい空気は下降するが、空気収集空間１８内の暖かい空気は上昇する。
従って、第２通風ダクト４０は、空気収集空間の上部から空気を追い出すように配置される。
加熱された空気は、ファン２４によって第２通風ダクト４０を通して空気収集空間１８から吸い込まれ、建築物５０の中に導入される。
熱吸光性塗料のコーティングを使用すると、日中は加熱し、太陽がまだ昇っていない夜間には冷却することができる。
【００２５】
以上のように、本発明を例を用いて説明した。
上記の実施形態に対する修正および変更が可能である。
例えば、第１に説明した実施形態において、吸気開口部は均等に分散するが、例えば、通風ダクト３４が空気収集空間に通じる場所の近くにおいては、パネルの下部の気流開口部を少なくすることによって、気流開口部を不規則に分散させてもよい。
更に、吸気開口部の密度は、通風ダクト３４からの距離に応じて増加させることができる。
また、吸気開口部のサイズも、通風ダクト３４からの距離に応じて増加させることができる。
冷却された空気を建築物に提供する通風ダクト３４は、建築物の側壁を通して入るものとして説明されるが、この通風ダクトは、建築物の屋根を通して入ることができるとも考えられる。
【００２６】
建築物用の循環空気を冷却する装置は、傾斜する屋根の上に図示して説明した。
しかしながら、例えば図５に示すように、この装置は、平屋根の上で用いることもできる。図５は、いくつかの通風孔２０を有する放熱パネル１４を示すものであり、空気開口部２０は、建築物５０の屋根５２上の放熱パネルによって規定される空気収集空間の中に空気が流入することを可能にする。
本実施形態において、放熱パネル１４は、屋根５２に対して傾斜しているので、空気は、空気収集空間の下位層において、通路２２の中に吸い込まれる。
熱い空気は上昇するので、熱い空気は、放熱パネル１４の一番上の部分に向かって移動、あるいは開口部２０の外に移動する。
より冷たい空気は、通路２２の方へ下降し、使用中は通路２２から吸い込まれる。
図示するように、通風ダクト３４が空気収集空間に接する箇所には、空気開口部がない。
また、本実施形態において、ファンハウジング３６（ファンを含む）は、屋根５２の上に配置される。
【００２７】
他の変形例も可能である。
例えば、吸気開口部は、任意の適切な態様において形成することができる。
開口部は、説明したようなスリットの形、あるいは隣接して部分的に重なり合う屋根瓦の間の穴または空隙の形であり得る。
図６乃至図８を参照して、部分的に重なり合う屋根瓦４６によって構成される放熱パネル１４を示す。
この実施形態において、循環空気は、各瓦の下の空隙（瓦の周辺）を通過してから、水平支持体４８が固定される垂直支持体４７の間を通過する。
水平支持体４８は、建築物５０の屋根５２に固定される。
使用される部分的に重なり合う瓦は、日中に発電する太陽電池パネルであることも考えられる。
【００２８】
第３に説明した実施形態において加熱される空気は、建築物５０の内部で空気と混合する前に、更に加熱できることも理解される。
循環空気の加熱が提供される、第３に説明した実施形態において、単一のファンを使用する代わりに、空気を吸い込むための第２ファンハウジングおよび第２ファンを使用できることも理解される。
また、ハットクリップおよびＺ形材の使用方法は、例示的な目的のためにのみ本明細書に記載するものである。
他の取り付け手段が考えられる。例えば、屋根が一定の距離にわたる場合、あるいは屋根の支持体がクリップ装着位置と一致しない場合、例えば、一部の屋根の上で、クリップの代わりに、垂直Ｚ形材を使用することができる。
空気が通路に向かって水平に移動できるように、垂直バーが配置される。
空気がファン入口の方へ水平に移動できるようにするために、水平バーの下の垂直バーは、より下方の屋根ラインには至らない。
【００２９】
パネルの放熱面のサイズと、ファンによって制御される流量とが関連することが理解される。
例えば、流量は、パネルの放熱面のサイズと、開口部を通過する空気の最大冷却速度とに基づいて決定できる。
それに代わって、パネルのサイズは、流量と、開口部を通過する空気の最大冷却速度とに基づいて決定できる。
【００３０】
本明細書に記載される実施形態に対するさらに他の修正および変更は、当業者が想到し得る。
すべてのそのような修正および変更は、本発明の領域および範囲の中にあると考えられる。
【図面の簡単な説明】
【００３１】
【図１】本発明の一実施形態による、建築物用の循環空気を冷却する装置の一部の斜視図である。
【図２】図１の装置の断面図である。
【図３】本発明の別の実施形態による、建築物用の循環空気を冷却する装置の断面図である。
【図４】本発明のさらに別の実施形態による、建築物用の循環空気を冷却する装置の断面図である。
【図５】本発明のさらに別の実施形態による、建築物用の循環空気を冷却する装置の斜視図である。
【図６】本発明の別の実施形態による、建築物用の循環空気を冷却する装置の側断面図である。
【図７】図６の装置を拡大して描いた部分的な側断面図である。
【図８】図６の装置を拡大して描いた部分的な上面図である。
【図１】
0005437792.tif 000002
【図２】
0005437792.tif 000003
【図３】
0005437792.tif 000004
【図４】
0005437792.tif 000005
【図５】
0005437792.tif 000006
【図６】
0005437792.tif 000007
【図７】
0005437792.tif 000008
【図８】
0005437792.tif 000009